(57)【要約】【課題】コンテンツのムーブ時におけるユーザの利便性を向上させることができるようにする。【解決手段】  ムーブ制御部６１は、HDR１３を制御し、コンテンツをムーブさせる。コマンド管理部６３は、HDR１３が保持しているコンテンツ毎の情報（自分自身の状態を管理する記述子）を参照し、ムーブが中断されたコンテンツを読み取り、そのコンテンツをリスト表示部６２に通知する。リスト表示部６２は、HDR１３に録画されているコンテンツを参照し、ムーブ可能なコンテンツのリストを表示させる。またリスト表示部６２は、コマンド管理部６３から通知された情報に基づいて、ムーブ中断アイコンをリストに表示させる。さらにリスト表示部６２は、ムーブ中、放送波のみを表示させる。本発明は、IEEE1394バスを介して接続される記録装置を制御可能なディジタルテレビジョン受像機に適用することができる。【選択図】図７
2006060344.tif 000002
【特許請求の範囲】
【請求項１】
IEEE1394バスを介して接続される制御装置と記録装置からなる記録システムにおいて、
前記制御装置は、
前記記録装置に記録された所定のコンテンツのムーブを制御するムーブ制御手段と、
前記ムーブ制御手段によるムーブ実行中、放送波を表示するように制御する表示制御手段と
を備え、
前記記録装置は、
前記所定のコンテンツを記録する記録手段と、
前記制御装置による制御に基づいて、前記記録手段に記録されている前記所定のコンテンツをムーブするムーブ手段と
を備えることを特徴とする記録システム。
【請求項２】
IEEE1394バスを介して記録装置と接続される制御装置において、
前記記録装置に記録された所定のコンテンツのムーブを制御するムーブ制御手段と、
前記ムーブ制御手段によるムーブ実行中、放送波を表示するように制御する表示制御手段と
を備えることを特徴とする制御装置。
【請求項３】
前記表示制御手段は、前記記録装置に記録されているムーブ可能なコンテンツのタイトルのリストの表示をさらに制御する
ことを特徴とする請求項２に記載の制御装置。
【請求項４】
IEEE1394バスを介して記録装置と接続される制御装置の制御方法において、
前記記録装置に記録された所定のコンテンツのムーブを制御するムーブ制御ステップと、
前記ムーブ制御ステップの処理によるムーブ実行中、放送波を表示するように制御する表示制御ステップと
を含むことを特徴とする制御方法。
【請求項５】
IEEE1394バスを介して記録装置と接続される制御装置の制御処理を、コンピュータに行わせるプログラムにおいて、
前記記録装置に記録された所定のコンテンツのムーブを制御するムーブ制御ステップと、
前記ムーブ制御ステップの処理によるムーブ実行中、放送波を表示するように制御する表示制御ステップと
を含むことを特徴とするプログラム。
【請求項６】
IEEE1394バスを介して接続される制御装置と記録装置からなる記録システムにおいて、
前記制御装置は、
前記記録装置に記録された所定のコンテンツのムーブを制御するムーブ制御手段と、
前記ムーブ制御手段によるムーブが中断された場合、ムーブ中断に関する情報の表示を制御する表示制御手段と
を備え、
前記記録装置は、
前記所定のコンテンツを記録する記録手段と、
前記制御装置による制御に基づいて、前記記録手段に記録されている前記所定のコンテンツをムーブするムーブ手段と
を備えることを特徴とする記録システム。
【請求項７】
IEEE1394バスを介して記録装置と接続される制御装置において、
前記記録装置に記録された所定のコンテンツのムーブを制御するムーブ制御手段と、
前記ムーブ制御手段によるムーブが中断された場合、ムーブ中断に関する情報の表示を制御する表示制御手段と
を備えることを特徴とする制御装置。
【請求項８】
前記ムーブ中断に関する情報は、アイコンである
ことを特徴とする請求項７に記載の制御装置。
【請求項９】
前記表示制御手段は、前記記録装置に記録されているムーブ可能なコンテンツのタイトルのリストの表示をさらに制御し、前記リスト上に前記ムーブ中断に関する情報を重畳表示する
ことを特徴とする請求項７に記載の制御装置。
【請求項１０】
IEEE1394バスを介して記録装置と接続される制御装置の制御方法において、
前記記録装置に記録された所定のコンテンツのムーブを制御するムーブ制御ステップと、
前記ムーブ制御ステップの処理によるムーブが中断された場合、ムーブ中断に関する情報の表示を制御する表示制御ステップと
を含むことを特徴とする制御方法。
【請求項１１】
IEEE1394バスを介して記録装置と接続される制御装置の制御処理を、コンピュータに行わせるプログラムにおいて、
前記記録装置に記録された所定のコンテンツのムーブを制御するムーブ制御ステップと、
前記ムーブ制御ステップの処理によるムーブが中断された場合、ムーブ中断に関する情報の表示を制御する表示制御ステップと
を含むことを特徴とするプログラム。
【発明の詳細な説明】
【技術分野】
【０００１】
本発明は、記録システム、制御装置および方法、並びにプログラムに関し、特に、IEEE(Institute of Electrical and Electronics Engineers)1394バスを介して接続される記録装置におけるコンテンツの移動を制御装置側から指示することができるようにした記録システム、制御装置および方法、並びにプログラムに関する。
【背景技術】
【０００２】
現在のディジタル放送におけるプログラム（コンテンツ）は、ディジタルコピー制御記述子（digital_copy_control_descriptor）によって、コンテンツの著作権情報（コピーの世代を制御する情報）が定義されている。
【０００３】
例えば、HDD(Hard Disk Drive)とDVD(Digital Versatile Disc)ドライブを内蔵するハイブリッド型の記録装置において、著作権情報が「１世代のみコピー可」のコンテンツがHDDに記録された場合、その時点で「１世代」のコピーが行われたものとして扱われ、コンテンツのCCI(Copy Control Information)は「これ以上コピー禁止」とされる。ここで、CCIは、記録装置内部でのそれぞれのコンテンツのコピーの制限に関する情報である。
【０００４】
従って、以降、ユーザは、そのコンテンツをHDDから再生させる限りにおいては視聴することはできるが、DVDにコピーして外部のプレーヤで視聴したりすることはできない。現在のディジタル放送においては、このようにして複製の作成が防止されている。
【０００５】
ところで、HDDの記録容量は当然有限であり、HDDの記録容量いっぱいにコンテンツが記録された場合、コンテンツを消去せずに記録容量を確保するためには、コンテンツを他のリムーバブルメディアにコピーして、HDD内のコンテンツを削除することが考えられるが、上述したような制限からコンテンツによってはそれができない。
【０００６】
そこで、このような問題を解決するために、「ムーブ（Move）」という技術がある。
【０００７】
ムーブは、例えば、HDDに記録されている「１世代のみコピー可」のコンテンツを、DVDやBlue-ray Disk（商標）などのリムーバブルメディアにコピーしつつ、コピーが終わったHDD内のコンテンツの部分を消去、または無効化して、全てのコピーが終了したときに、HDD内のコンテンツを全て消去、または無効化することにより、利用可能な１つのコンテンツをリムーバブルメディア上に残しつつ、HDD上からはそれを利用できなくする技術である（例えば、特許文献１参照）。
【０００８】
これにより、ユーザは、内蔵のHDDに記録された「１世代のみコピー可」のコンテンツであっても、他のリムーバブルメディアなどに複製を作ることが可能となり、コンテンツが記録（ムーブ）されたリムーバブルメディアを他のプレーヤなどに装着することにより、HDD上以外からでもコンテンツを利用することができる。また、この場合でも、複製が複数作成されることもない。
【０００９】
【特許文献１】特開２００３−１６７２５号公報
【発明の開示】
【発明が解決しようとする課題】
【００１０】
ところで、制御装置としての第３の機器（例えば、DTV（Digital Television））が、IEEE1394バスを介して接続されているHDR（Hard Disc Recorder）からDVHS（Digital Video Home System）にコンテンツをムーブさせるように制御すると、その第３の機器は、コンテンツのムーブ開始時には、例えば、図１Ａに示されるように、「コンテンツのムーブ中です」といったメッセージを画面に表示させる。その後、HDRが再生状態になるため、第３の機器は、その再生画を入力しようとして、HDRからの入力に切り替えるが、ムーブ再生中の信号は、ムーブ先のDVHSしか入力することができないため、図１Ｂに示されるような、いわゆる黒画と呼ばれる画面を表示させるしかない。そのため、ユーザは、ムーブ中には、図１Ｃに示されるような放送波（いわゆるテレビ番組のチャンネル）を表示させるために、手動でリモートコントローラを操作して放送波を選局する必要があり、操作が煩雑になる課題があった。
【００１１】
また、何らかの事情でムーブが中断された場合、ユーザがそれを知るためには、ムーブが中断されたコンテンツを再生するしかなかった。
【００１２】
本発明はこのような状況に鑑みてなされたものであり、IEEE1394バスを介して接続される記録装置におけるコンテンツのムーブを制御装置側から指示するとともに、その際のユーザの利便性を向上させることができるようにするものである。
【課題を解決するための手段】
【００１３】
本発明の第１の記録システムは、IEEE1394バスを介して接続される制御装置と記録装置からなる記録システムであって、制御装置が、記録装置に記録された所定のコンテンツのムーブを制御するムーブ制御手段と、ムーブ制御手段によるムーブ実行中、放送波を表示するように制御する表示制御手段とを備え、記録装置が、所定のコンテンツを記録する記録手段と、制御装置による制御に基づいて、記録手段に記録されている所定のコンテンツをムーブするムーブ手段とを備えることを特徴とする。
【００１４】
本発明の第１の制御装置は、IEEE1394バスを介して記録装置と接続される制御装置であって、記録装置に記録された所定のコンテンツのムーブを制御するムーブ制御手段と、ムーブ制御手段によるムーブ実行中、放送波を表示するように制御する表示制御手段とを備えることを特徴とする。
【００１５】
前記表示制御手段は、記録装置に記録されているムーブ可能なコンテンツのタイトルのリストの表示をさらに制御するようにすることができる。
【００１６】
本発明の第１の制御方法は、IEEE1394バスを介して記録装置と接続される制御装置の制御方法であって、記録装置に記録された所定のコンテンツのムーブを制御するムーブ制御ステップと、ムーブ制御ステップの処理によるムーブ実行中、放送波を表示するように制御する表示制御ステップとを含むことを特徴とする。
【００１７】
本発明の第１のプログラムは、IEEE1394バスを介して記録装置と接続される制御装置の制御処理を、コンピュータに行わせるプログラムであって、記録装置に記録された所定のコンテンツのムーブを制御するムーブ制御ステップと、ムーブ制御ステップの処理によるムーブ実行中、放送波を表示するように制御する表示制御ステップとをコンピュータに実行させることを特徴とする。
【００１８】
本発明の第２の記録システムは、IEEE1394バスを介して接続される制御装置と記録装置からなる記録システムであって、制御装置が、記録装置に記録された所定のコンテンツのムーブを制御するムーブ制御手段と、ムーブ制御手段によるムーブが中断された場合、ムーブ中断に関する情報の表示を制御する表示制御手段とを備え、記録装置が、所定のコンテンツを記録する記録手段と、制御装置による制御に基づいて、記録手段に記録されている所定のコンテンツをムーブするムーブ手段とを備えることを特徴とする。
【００１９】
本発明の第２の制御装置は、IEEE1394バスを介して記録装置と接続される制御装置であって、記録装置に記録された所定のコンテンツのムーブを制御するムーブ制御手段と、ムーブ制御手段によるムーブが中断された場合、ムーブ中断に関する情報の表示を制御する表示制御手段とを備えることを特徴とする。
【００２０】
前記ムーブ中断に関する情報は、アイコンであるものとすることができる。
【００２１】
前記表示制御手段は、記録装置に記録されているムーブ可能なコンテンツのタイトルのリストの表示をさらに制御し、リスト上にムーブ中断に関する情報を重畳表示するようにすることができる。
【００２２】
本発明の第２の制御方法は、IEEE1394バスを介して記録装置と接続される制御装置の制御方法であって、記録装置に記録された所定のコンテンツのムーブを制御するムーブ制御ステップと、ムーブ制御ステップの処理によるムーブが中断された場合、ムーブ中断に関する情報の表示を制御する表示制御ステップとを含むことを特徴とする。
【００２３】
本発明の第２のプログラムは、IEEE1394バスを介して記録装置と接続される制御装置の制御処理を、コンピュータに行わせるプログラムであって、記録装置に記録された所定のコンテンツのムーブを制御するムーブ制御ステップと、ムーブ制御ステップの処理によるムーブが中断された場合、ムーブ中断に関する情報の表示を制御する表示制御ステップとをコンピュータに実行させることを特徴とする。
【００２４】
本発明の第１の記録システムにおいては、制御装置により、記録装置に記録された所定のコンテンツのムーブが制御され、そのムーブ実行中、放送波を表示するように制御される。また記録装置により、所定のコンテンツが記録され、制御装置による制御に基づいて、記録されている所定のコンテンツがムーブされる。
【００２５】
本発明の第１の制御装置および方法、並びにプログラムにおいては、記録装置に記録された所定のコンテンツのムーブが制御され、そのムーブ実行中、放送波を表示するように制御される。
【００２６】
本発明の第２の記録システムにおいては、制御装置により、記録装置に記録された所定のコンテンツのムーブが制御され、そのムーブが中断された場合、ムーブ中断に関する情報の表示が制御される。また記録装置により、所定のコンテンツが記録され、制御装置による制御に基づいて、記録されている所定のコンテンツがムーブされる。
【００２７】
本発明の第２の制御装置および方法、並びにプログラムにおいては、記録装置に記録された所定のコンテンツのムーブが制御され、そのムーブが中断された場合、ムーブ中断に関する情報の表示が制御される。
【発明の効果】
【００２８】
本発明によれば、IEEE1394バスを介して接続される記録装置におけるコンテンツのムーブを制御装置側から指示することが可能となる。また、ユーザの利便性を向上させることが可能となる。
【発明を実施するための最良の形態】
【００２９】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００３０】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００３１】
請求項１に記載の記録システム（例えば、図２の録画・再生システム１）は、IEEE1394バス（例えば、図２のIEEE1394バス１２）を介して接続される制御装置（例えば、図２のDTV１１）と記録装置（例えば、図２のHDR１３）からなる記録システムであって、制御装置が、記録装置に記録された所定のコンテンツのムーブを制御するムーブ制御手段（例えば、図１３のステップＳ９の処理を実行する図７のムーブ制御部６１）と、ムーブ制御手段によるムーブ実行中、放送波を表示するように制御する表示制御手段（例えば、図１２の表示を制御する図７のリスト表示部６２）とを備え、記録装置が、所定のコンテンツを記録する記録手段と、制御装置による制御に基づいて、記録手段に記録されている所定のコンテンツをムーブするムーブ手段とを備えることを特徴とする。
【００３２】
請求項２に記載の制御装置（例えば、図２のDTV１１）は、IEEE1394バス（例えば、図２のIEEE1394バス１２）を介して記録装置（例えば、図２のHDR１３）と接続される制御装置であって、記録装置に記録された所定のコンテンツのムーブを制御するムーブ制御手段（例えば、図１３のステップＳ９の処理を実行する図７のムーブ制御部６１）と、ムーブ制御手段によるムーブ実行中、放送波を表示するように制御する表示制御手段（例えば、図１２の表示を制御する図７のリスト表示部６２）とを備えることを特徴とする。
【００３３】
請求項３に記載の制御装置は、表示制御手段が、記録装置に記録されているムーブ可能なコンテンツのタイトルのリスト（例えば、図８の再生リスト７１）の表示をさらに制御することを特徴とする。
【００３４】
請求項４に記載の制御方法は、IEEE1394バス（例えば、図２のIEEE1394バス１２）を介して記録装置（例えば、図２のHDR１３）と接続される制御装置（例えば、図２のDTV１１）の制御方法であって、記録装置に記録された所定のコンテンツのムーブを制御するムーブ制御ステップ（例えば、図１３のステップＳ９）と、ムーブ制御ステップの処理によるムーブ実行中、放送波（例えば、図１２）を表示するように制御する表示制御ステップとを含むことを特徴とする。
【００３５】
なお、請求項５に記載のプログラムにおいても、各ステップが対応する実施の形態（但し一例）は、請求項４に記載の記録方法と同様である。
【００３６】
請求項６に記載の記録システム（例えば、図２の録画・再生システム１）は、IEEE1394バス（例えば、図２のIEEE1394バス１２）を介して接続される制御装置（例えば、図２のDTV１１）と記録装置（例えば、図２のHDR１３）からなる記録システムであって、制御装置が、記録装置に記録された所定のコンテンツのムーブを制御するムーブ制御手段（例えば、図１３のステップＳ９の処理を実行する図７のムーブ制御部６１）と、ムーブ制御手段によるムーブが中断された場合、ムーブ中断に関する情報（例えば、図８のムーブ中断アイコン７３）の表示を制御する表示制御手段（例えば、図１４のステップＳ３５の処理を実行する図７のリスト表示部６２）とを備え、記録装置が、所定のコンテンツを記録する記録手段と、制御装置による制御に基づいて、記録手段に記録されている所定のコンテンツをムーブするムーブ手段とを備えることを特徴とする。
【００３７】
請求項７に記載の制御装置（例えば、図２のDTV１１）は、IEEE1394バス（例えば、図２のIEEE1394バス１２）を介して記録装置（例えば、図２のHDR１３）と接続される制御装置であって、記録装置に記録された所定のコンテンツのムーブを制御するムーブ制御手段（例えば、図１３のステップＳ９の処理を実行する図７のムーブ制御部６１）と、ムーブ制御手段によるムーブが中断された場合、ムーブ中断に関する情報（例えば、図８のムーブ中断アイコン７３）の表示を制御する表示制御手段（例えば、図１４のステップＳ３５の処理を実行する図７のリスト表示部６２）とを備えることを特徴とする。
【００３８】
請求項９に記載の制御装置は、表示制御手段が、記録装置に記録されているムーブ可能なコンテンツのタイトルのリスト（例えば、図８の再生リスト７１）の表示をさらに制御し、リスト上にムーブ中断に関する情報を重畳表示することを特徴とする。
【００３９】
請求項１０に記載の制御方法は、IEEE1394バス（例えば、図２のIEEE1394バス１２）を介して記録装置（例えば、図２のHDR１３）と接続される制御装置（例えば、図２のDTV１１）の制御方法であって、記録装置に記録された所定のコンテンツのムーブを制御するムーブ制御ステップ（例えば、図１３のステップＳ９）と、ムーブ制御ステップの処理によるムーブが中断された場合、ムーブ中断に関する情報（例えば、図８のムーブ中断アイコン７３）の表示を制御する表示制御ステップ（例えば、図１４のステップＳ３５）とを含むことを特徴とする。
【００４０】
なお、請求項１１に記載のプログラムにおいても、各ステップが対応する実施の形態（但し一例）は、請求項１０に記載の記録方法と同様である。
【００４１】
以下、本発明の実施の形態について図を参照して説明する。
【００４２】
図２は、本発明を適用した録画・再生システム１の構成例を示すブロック図である。この録画・再生システム１には、IEEE(Institute of Electrical and Electronics Engineers)1394バス１２を介して、DTV(Digital Television)１１、HDR(Hard Disk Recorder)１３、およびDVHS（Digital Video Home System）１４が相互に接続されている。
【００４３】
DTV１１は、地上ディジタル放送、BS(Broadcasting Satellite)/CS(Communications Satellite)ディジタル放送に対応したテレビジョン受像機であるとともに、自分自身がコントローラとなり、AV/Cコマンド（AV/C Digital Interface Command Set）を用いて、ターゲットとなるHDR１３およびDVHS１４をそれぞれ制御する。
【００４４】
例えば、DTV１１は、所定のチャンネルで放送されてきたトランスポートストリームから抽出したパケットをIEEE1394バス１２を介してHDR１３またはDVHS１４に供給し、ユーザにより選択されたテレビジョン番組などの所定のコンテンツの録画（記録）を行わせる。
【００４５】
また例えば、DTV１１は、HDR１３に記録されているコンテンツを再生させたり、あるいは、HDR１３に記録されているコンテンツを、IEEE1394バス１２を介してDVHS１４にコピーまたはムーブさせる。このコピーまたはムーブの実行中、DTV１１は、HDR１３からの入力に切り替えずに、放送波を表示させたままにする。
【００４６】
さらにまた例えば、DTV１１は、ムーブ元のHDR１３にAV/Cコマンド（READ Command）を発行することにより、コンテンツのムーブが中断されたか否かを読み取り、ムーブ中断を識別することが可能なアイコンを表示する。
【００４７】
HDR１３は、DTV１１より供給された所定のコンテンツを記録する。HDR１３に記録されているコンテンツは、DTV１１により適宜読み出され、再生、コピー、またはムーブなどに用いられる。またHDR１３は、IEEE1394により規定される、自分自身の状態を管理する記述子を作成、保持しており、ムーブ状況に応じてその記述子を書き換える。
【００４８】
図３は、HDR１３が保持する、自分自身の状態を管理する記述子である「Moved Position Marker InfoBlock」を示す図である。
【００４９】
「moved_count（XX16）」には、何回に渡ってコンテンツがムーブされたかに関する情報が記述されている。「position_marker_type（0016）」には、コンテンツの時間やサイズを規定するための情報が記述されている。「position_marker_specific_information」には、コンテンツのどこでムーブが中断されたかに関する位置（時間）情報が規定されている。「object_position_nember（0000000016）」、「hours（XX16）」、「minutes（XX16）」、「seconds（XX16）」、および「frames（XX16）」には、ムーブ毎の詳細な位置（時間）情報が記述されている。
【００５０】
図４は、HDR１３が保持する、自分自身の状態を管理する記述子である「Original Size Indicator InfoBlock」を示す図である。
【００５１】
図３の例と同様に、「moved_count（XX16）」には、何回に渡ってコンテンツがムーブされたかに関する情報が記述され、「position_marker_type（0016）」には、コンテンツの時間やサイズを規定するための情報が記述され、「position_marker_specific_information」には、コンテンツのどこでムーブが中断されたかに関する位置（時間）情報が規定されている。
【００５２】
さらに、「size_indicator_type（0016）」には、コンテンツのオリジナルサイズを規定するための情報が記述されている。「size_indicator_type_specific」には、コンテンツのオリジナルサイズに関する情報が規定されている。「hours（XXXX16）」、「minutes（XX16）」、「seconds（XX16）」、および「frames（XX16）」には、コンテンツの詳細なオリジナルサイズに関する情報が記述されている。
【００５３】
HDR１３は、図３または図４に示したような情報をコンテンツ毎に作成、保持しており、例えば、ムーブが１回実行されて中断された場合には、「moved_count（XX16）」に“１”を記述するとともに、「position_marker_specific_information」にその中断した位置情報を記述する。
【００５４】
DVHS１４は、DTV１１から供給された所定のコンテンツを記録したり、あるいは、IEEE1394バス１２を介してHDR１３から供給（コピーまたはムーブ）されたコンテンツを記録する。
【００５５】
図５は、DTV１１の構成例を示すブロック図である。
【００５６】
CPU(Central Processing Unit)２１は、メモリ２２に記憶されているプログラムを実行し、受光部２３から供給されてくる信号に応じてDTV１１の全体の動作を制御する。
【００５７】
受光部２３は、リモートコントローラ４２からの赤外線を受光し、復調して得られたユーザ操作に対応する信号をCPU２１に出力する。
【００５８】
チューナ２４は、CPU２１による制御に従って、アンテナ４１からの放送信号を受信、復調し、所定のチャンネルで放送されてきたトランスポートストリーム（TS）をデスクランブラ２５に出力する。
【００５９】
デスクランブラ２５は、図示せぬCASカードに記憶されているデータを用いてスクランブルを解くキーを生成し、チューナ２４から供給されてきたトランスポートストリームのスクランブルを解除する。デスクランブラ２５によりスクランブルが解除されたトランスポートストリームはDEMUX（デマルチプレクサ）２６に供給される。
【００６０】
DEMUX２６は、CPU２１による制御に従って、デスクランブラ２５から供給されてきたトランスポートストリームから所定のストリームを抽出し、抽出したストリーム（ストリームを構成するパケット）をAudioデコーダ２７、Videoデコーダ３０に出力する。
【００６１】
また、DEMUX２６は、コンテンツをHDR１３に録画させる場合、得られたストリームをIEEE1394インタフェース３４に出力し、HDR１３に録画されているコンテンツを再生する場合、IEEE1394バス１２、およびIEEE1394インタフェース３４を介してHDR１３から供給されてきたストリームをAudioデコーダ２７、Videoデコーダ３０に出力する。
【００６２】
Audioデコーダ２７は、DEMUX２６から供給されてきたオーディオデータ（オーディオパケット）をデコードし、得られたオーディオデータを音声処理回路２８に出力する。
【００６３】
音声処理回路２８は、Audioデコーダ２７から供給されてきたオーディオデータに対してD/A(Digital/Analog)変換、増幅処理等を施し、得られた音声をスピーカ２９から出力させる。
【００６４】
Videoデコーダ３０は、DEMUX２６から供給されてきたビデオデータ（ビデオパケット）をデコードし、得られたビデオデータを映像処理回路３１に出力する。
【００６５】
映像処理回路３１は、Videoデコーダ３０から供給されてきたビデオデータに対して所定の画像処理、D/A変換等を施し、コンテンツの画像をディスプレイ３３に表示させる。また、映像処理回路３１は、OSD(On Screen Display)付加回路３２から供給されてきたビデオデータにも基づいて所定の画像をディスプレイ３３に表示させる。
【００６６】
OSD付加回路３２は、CPU２１による制御に従ってディスプレイ３３に表示させる画像のビデオデータを生成し、生成したビデオデータを映像処理回路３１に出力する。OSD付加回路３２により、例えば、HDR１３に録画されているコンテンツのリストを表示するためのビデオデータが生成され、それが映像処理回路３１に出力される。
【００６７】
IEEE1394インタフェース３４は、IEEE1394バス１２を介してHDR１３との間で通信を行う。IEEE1394インタフェース３４からHDR１３に対しては、例えば、CPU２１から供給されてきたAV/Cコマンド、DEMUX２６から供給されてきたストリームが送信される。
【００６８】
図６は、DTV１１のディスプレイ３３に表示される操作パネル５１の表示例を示す図である。
【００６９】
操作パネルのほぼ中央上部には「HDR1」が表示されており、図６の操作パネル５１が、HDR１３を操作するためのものであることが示されている。この操作パネル５１には、HDR１３の電源をON/OFFするとき操作される電源ボタン５２、HDR１３に録画されているコンテンツ（録画済み、録画中のものを含む）のタイトルのリストを表示するとき操作されるリストボタン５３、操作パネル５１により制御する機器を選択するとき操作される機器選択ボタン５４が表示されている。
【００７０】
また、電源ボタン５２等の右側には、HDR１３に録画されているコンテンツの再生、停止等を行うときに操作される再生操作ボタン５５が表示されており、その右側には、HDR１３へのコンテンツの録画の開始、停止等を行うときに操作される録画操作ボタン５６が表示されている。さらに、機器詳細情報表示エリア５７には、ハードディスクの残りの容量等のHDR１３の状態が表示されている。
【００７１】
このような操作パネル５１が、DTV１１のディスプレイ３３の所定の位置に表示される。
【００７２】
図７は、DTV１１の機能的構成例を示すブロック図である。図７に示す機能的構成例は、CPU２１が、メモリ２２に記憶された所定のプログラムを実行することで実現される。
【００７３】
ムーブ制御部６１は、例えば、ユーザにより、HDR１３に録画されているコンテンツのDVHS１４へのムーブが指示されたとき、IEEE1394バス１２を介してHDR１３を制御し、DVHS１４にコンテンツをムーブさせるように制御する。これにより、HDR１３は、ムーブが終わったコンテンツの部分を消去、または無効化しつつ、全てのムーブが終わったとき、HDR１３に記録されているコンテンツを全て消去、または無効化し、利用不可とすることによってムーブを行い、ムーブが中断された場合、コンテンツに対応する情報（図３または図４）を書き換える。また、ムーブ制御部６１は、ムーブ実行中である旨をリスト表示部６２に通知する。
【００７４】
リスト表示部６２は、リモートコントローラ４２からの指示に基づいて、IEEE1394バス１２を介してHDR１３に録画されているコンテンツを参照し、再生（ムーブを含む）可能なコンテンツのリストをディスプレイ３３に表示させる。このリストから、ユーザは、ムーブするコンテンツを選択することができる。
【００７５】
また、リスト表示部６２は、ムーブ制御部６１からの通知に基づいて、ムーブ実行中メッセージをディスプレイ３３に表示させる。さらに、リスト表示部６２は、コマンド管理部６３から通知された情報に基づいて、ムーブが中断されたコンテンツを識別するためのアイコンをリストに表示させる。
【００７６】
図８はリスト表示部６２によりディスプレイ３３に表示される再生リストの例を示す図である。
【００７７】
図８に示す再生リスト７１は、図６に示した操作パネル５１のリストボタン５３が選択された場合に表示される。再生リスト７１には、HDR１３に録画されている、操作可能なコンテンツのタイトルが一覧表示されている。図８の例の場合、再生リスト７１には、「エスニック・グルメ探検」、「古都を訪ねて」、「Go!Go!プロ野球」、「ザ・チャレンジャー・ショー」、「ドイツへの旅」、および「ニュース」が、ユーザが操作（ムーブを含む）可能なコンテンツのタイトルとして表示されている。
【００７８】
また、図８の例においては、ユーザによりリモートコントローラ４２が操作され、「エスニック・グルメ探検」のタイトル７２が選択されており、そのタイトルに対応するコンテンツの詳細情報などが画面下方に表示されているとともに、「古都を訪ねて」のタイトルに対応するコンテンツのムーブが中断されたことを示すムーブ中断アイコン７３が表示されている。
【００７９】
さらに、図８の例においては、再生リスト７１の表示を終了する場合に選択される閉じるボタン７４が表示されている。
【００８０】
このような再生リスト７１が表示されている状態で、例えば、ユーザが、リモートコントローラ４２の上下ボタンを用いてカーソルを移動させ、所定の番組のタイトル（例えば、「エスニック・グルメ探検」）を選択し、リモートコントローラ４２のオプションボタンを押下したとき、図９に示されるようなオプションメニュー８１が表示される。
【００８１】
図９の例の場合、オプションメニュー８１には、「再生」、「初めから再生」、「削除」、「ダビング」、および「ムーブ」が表示されている。ユーザは、リモートコントローラ４２の上下ボタンを用いてカーソル８１Ａを移動させ、オプションメニュー８１の中から所定の操作内容を選択し、決定ボタンを押下したとき、そのタイトル（いまの場合、「エスニック・グルメ探検」）のコンテンツをHDR１３から再生（前回再生した位置から再生）、初めから再生、削除、ダビング、またはムーブさせることができる。
【００８２】
例えば、ユーザが、「エスニック・グルメ探検」のタイトルを選択し、オプションメニュー８１の中から「ムーブ」を選択、決定した場合、図１０に示されるようなムーブモード画面９１が表示される。
【００８３】
図１０の例の場合、ムーブモード画面９１には、「エスニック・グルメ探検」のタイトルに対応するコンテンツの詳細情報が表示されているとともに、ムーブ元の再生機およびムーブ先の録画機が表示されている。すなわち、再生機として、「HDR1」（図２のHDR１３に対応する）が表示され、録画機として、「DVHS1」（図２のDVHS１４に対応する）が表示されている。なお、図示は省略するが、ムーブ先の録画機が複数存在する場合には、ユーザは、リモートコマンダを用いて所定の録画機を選択し、決定ボタンを押下することで、ムーブ先の１つの録画機を選択することができる。
【００８４】
このようなムーブモード画面９１が表示されている状態で、例えば、ユーザが、リモートコントローラ４２を用いて「ムーブする」のボタン９２を選択した場合、ムーブ制御部６１により、HDR１３に録画されている、「エスニック・グルメ探検」のタイトルに対応するコンテンツのDVHS１４へのムーブが行われる。このムーブ処理の実行に伴って、図１１に示されるように、「選んだ番組をムーブしますか？」のメッセージに代わって、「ムーブ中です」のメッセージが表示される。またこのとき、ユーザにより、リモートコントローラ４２を用いてムーブモード画面９１の表示の終了が指示された場合、図１２に示されるように、ディスプレイ３３には、放送波のみが表示される。なお、ムーブ中において、所定時間だけムーブモード画面９１が表示された後、ディスプレイ３３には、ユーザの操作によらずに、自動的に放送波のみが表示されるようにしてもよい。
【００８５】
一方、ユーザが、ムーブモード画面９１の中止ボタン９３を選択した場合、ムーブ制御部６１により、ムーブが中止される。
【００８６】
以上のようにして、ユーザは、DTV１１のディスプレイ３３に表示される操作パネル５１（図６）や再生リスト７１（図８）などを用いて所定の操作を行うことにより、HDR１３に録画されているコンテンツを再生させたり、ムーブさせたりといった処理を行わせることができる。
【００８７】
図７の説明に戻る。コマンド管理部６３は、HDR１３にAV/C Commandを発行することにより、HDR１３が保持しているコンテンツ毎の情報（図３または図４）の中から、ムーブが中断されたコンテンツを読み取り、そのコンテンツをリスト表示部６２に通知する。
【００８８】
次に、図１３のフローチャートを参照して、DTV１１が実行する、ムーブ処理について説明する。この処理は、例えば、DTV１１のディスプレイ３３に放送波が表示されているときに、ユーザによってリモートコントローラ４２が操作され、図６に示したように、HDR１３の操作パネル５１が表示されている場合に開始される。
【００８９】
ステップＳ１において、リスト表示部６２は、ユーザによりリモートコントローラ４２が操作され、リスト表示が指示されたか否か、すなわち、図６に示した操作パネル５１のリストボタン５３が押下されたか否かを判定し、リスト表示が指示されるまで待機する。そして、リスト表示が指示されたと判定された場合、ステップＳ２に進む。
【００９０】
ステップＳ２において、リスト表示部６２は、ユーザからのリスト表示の指示に基づいて、IEEE1394バス１２を介してHDR１３に録画されているコンテンツを参照し、再生（ムーブを含む）可能なコンテンツのリストを取得する。そして、リスト表示部６２は、図６に示した操作パネル５１の表示から、図８に示した再生リスト７１の表示に切り替える。ステップＳ３において、リスト表示部６２は、コンテンツが選択されたか否か、すなわち、ユーザによりリモートコントローラ４２が用いられ、再生リスト７１に一覧表示されているタイトルの中から所定の番組のタイトルが選択されたか否かを判定する。
【００９１】
ステップＳ３において、コンテンツが選択されたと判定された場合、ステップＳ４に進み、リスト表示部６２は、オプションからムーブが選択されたか否か、すなわち、番組のタイトルが選択された状態で、オプションボタンが押下されたときに表示される図９のオプションメニュー８１の中から「ムーブ」が選択され、決定ボタンが押下されたか否かを判定する。
【００９２】
ステップＳ４において、オプションからムーブが選択されていないと判定された場合、ステップＳ５に進み、リスト表示部６２は、オプションからムーブ以外の項目が選択されたか否か、すなわち、オプションメニュー８１の中から「ムーブ」以外の「再生」、「初めから再生」、「削除」、または「ダビング」の操作内容が選択されたか否かを判定し、オプションからムーブ以外の項目が選択されていないと判定された場合、ステップＳ４に戻り、上述した処理を繰り返し実行する。
【００９３】
ステップＳ５において、オプションからムーブ以外の項目が選択されたと判定された場合、ステップＳ６に進み、CPU２１は、選択された操作内容に対応する所定の処理（再生、初めから再生、削除、またはダビング）を実行する。ステップＳ６の所定の処理終了後、処理は、ステップＳ３に戻り、リスト表示部６２は、図８に示した再生リスト７１を再表示し、上述した処理を繰り返し実行する。
【００９４】
ステップＳ４において、オプションからムーブが選択されたと判定された場合、ステップＳ７に進み、リスト表示部６２は、図１０に示したムーブモード画面９１を表示し、ムーブ先の機種が選択されたか否か、すなわち、ユーザによりリモートコントローラ４２が用いられ、ムーブ先の機種（録画機）が選択され、「ムーブする」のボタン９２が押下されたか否かを判定する。なお、図１０の例では、ムーブ先の機種が１つしかないため、「DVHS1」が既に選択されているが、ムーブ先の機種が複数存在する場合には、ユーザがリモートコントローラ４２を用いてカーソルを移動させるなどして、所定の録画機を選択する。
【００９５】
ステップＳ７において、ムーブ先の機種が選択されていないと判定された場合、ステップＳ８に進み、リスト表示部６２は、中止が指示されたか否か、すなわち、ユーザによりリモートコントローラ４２が用いられ、中止ボタン９３が選択されたか否かを判定し、中止がしじされていないと判定した場合、ステップＳ７に戻り、上述した処理を繰り返し実行する。
【００９６】
ステップＳ８において、中止が指示されたと判定された場合、ステップＳ３に戻り、リスト表示部６２は、図８に示した再生リスト７１を再表示し、上述した処理を繰り返し実行する。
【００９７】
ステップＳ７において、ムーブ先の機種が選択されたと判定された場合、ステップＳ９に進み、ムーブ制御部６１は、HDR１３を制御し、ムーブ処理を実行させる。図１０の例の場合、「エスニック・グルメ探検」のタイトルに対応するコンテンツのDVHS１４へのムーブが行われる。ステップＳ１０において、リスト表示部６２は、ムーブ制御部６１からの指示に基づいて、図１１に示したような、「ムーブ中です」のメッセージを表示させる。このとき、ユーザによりムーブモード画面９１の表示の終了が指示されると、図１２に示したように、ディスプレイ３３には、放送波のみが表示される。
【００９８】
ステップＳ１１において、ムーブ制御部６１は、ムーブ処理が終了したか否かを判定し、ムーブ処理を未だ終了していないと判定した場合、ステップＳ１２に進み、中止が指示されたか否か、すなわち、ユーザによりリモートコントローラ４２が用いられ、中止ボタン９３が選択されたか否かを判定し、中止が指示されていないと判定した場合、ステップＳ１１に戻り、上述した処理を繰り返し実行する。
【００９９】
ステップＳ１２において、中止が指示されたと判定された場合、ステップＳ１３に進み、HDR１３は、いまムーブが中断されたコンテンツに対応する情報（図３または図４）を書き換える。これにより、「moved_count（XX16）」に“１”が記述され、「position_marker_specific_information」にその中断した位置情報が記述される。なお、「moved_count（XX16）」に“１”以上の値が既に記述されているコンテンツのムーブが中断された場合には、その値が１だけ増加される。具体的には、「moved_count（XX16）」に“３”が記述されているコンテンツのムーブが再実行され、そのムーブが再び中断された場合、「moved_count（XX16）」には、“４”が記述される。
【０１００】
ステップＳ１３の処理の後、処理は、ステップＳ３に戻り、リスト表示部６２は、図８に示した再生リスト７１を再表示し、上述した処理を繰り返し実行する。
【０１０１】
ステップＳ１１において、ムーブ処理が終了したと判定された場合、ステップＳ１４に進み、リスト表示部６２は、図８に示した再生リスト７１を再表示する。このとき、ムーブされたコンテンツは利用不可とされていることから、ムーブされたコンテンツのタイトルは、再生リスト７１から消去される。その後、処理は、ステップＳ３に戻り、上述した処理が繰り返し実行される。なお、図１２に示したように、ディスプレイ３３に放送波のみが表示されている状態で、ムーブ処理が終了した場合には、リスト表示部６２は、再生リスト７１を再表示することなく、放送波を表示したままとする。
【０１０２】
一方、ステップＳ３において、コンテンツが選択されていないと判定された場合、ステップＳ１５に進み、リスト表示部６２は、リスト表示の終了が指示されたか否か、すなわち、ユーザによりリモートコントローラ４２が用いられ、再生リスト７１の閉じるボタン７４が選択されたか否かを判定する。
【０１０３】
ステップＳ１５において、リスト表示の終了が指示されていないと判定された場合、ステップＳ３に戻り、上述した処理が繰り返し実行される。一方、ステップＳ１５において、リスト表示の終了が指示されたと判定された場合、図１３のムーブ処理は終了される。
【０１０４】
以上のムーブ処理により、HDR１３からDVHS１４へのコンテンツのムーブ中に、DTV１１は、HDR１３の入力に切り替えて黒画を表示するのではなく、放送波を表示させることができる。これにより、ユーザは、あえてリモートコントローラ４２を用いて放送波を選局する必要がなくなる。
【０１０５】
次に、図１４のフローチャートを参照して、DTV１１が実行する、ムーブ中断アイコンの表示処理について説明する。
【０１０６】
ステップＳ３１において、コマンド管理部６３は、IEEE1394バス１２を介してHDR１３にAV/C Commandを発行することにより、Moved Position Marker（図３）を保持しているか否かを判定し、Moved Position Markerを保持していると判定した場合、ステップＳ３３に進む。
【０１０７】
一方、ステップＳ３１において、Moved Position Markerを保持していないと判定された場合、ステップＳ３２に進み、コマンド管理部６３は、さらにHDR１３が、Original Size Indicator（図４）を保持しているか否かを判定し、Original Size Indicatorを保持していると判定した場合、ステップＳ３３に進む。
【０１０８】
ステップＳ３３において、コマンド管理部６３は、Moved Position Marker（図３）またはOriginal Size Indicator（図４）のMoved_countを読み取る。ステップＳ３４において、コマンド管理部６３は、ステップＳ３３の処理で読み取ったMoved_countが１以上であるか否かを判定し、Moved_countが１以上であると判定した場合、その旨をリスト表示部６２に通知した後、ステップＳ３５に進む。
【０１０９】
ステップＳ３５において、リスト表示部６２は、コマンド管理部６３から通知された情報（Moved_countが１以上である、または、ムーブが中断されているなど）に基づいて、対応するコンテンツのタイトルの近傍にムーブ中断アイコンを表示させる。図８の例の場合、「古都を訪ねて」のタイトルの右横に、ムーブ中断アイコン７３が表示されている。
【０１１０】
ステップＳ３２において、Moved Position Marker（図３）およびOriginal Size Indicator（図４）のいずれも保持していないと判定された場合、または、ステップＳ３４において、Moved_countが１以上ではない（すなわちMoved_countが０である）と判定された場合、ステップＳ３６に進み、リスト表示部６２は、ムーブ中断アイコンを非表示にする。図８の例の場合、「エスニック・グルメ探検」、「Go!Go!プロ野球」、「ザ・チャレンジャー・ショー」、「ドイツへの旅」、および「ニュース」のタイトルの横には、ムーブ中断アイコン７３は表示されない。なお、ムーブ中断アイコン７３を非表示にする代わりに、他のアイコンを表示させるようにしてもよい。
【０１１１】
以上のムーブ中断アイコンの表示処理により、ムーブが中断されたコンテンツを視覚的にユーザに呈示することができる。これにより、ユーザは、ムーブが中断されたコンテンツを再生させなくても、ムーブ中断アイコン７３の表示によって、容易に、かつ、瞬時にムーブが中断されたコンテンツを知ることができる。
【０１１２】
以上においては、ムーブが中断されたコンテンツを識別可能とするために、ムーブ中断アイコン７３を表示させるようにしたが、本発明はこれに限られるものではなく、例えば、「ムーブ一部不可」などのメッセージを表示させるようにしてもよい。
【０１１３】
なお、本明細書において、各ステップは、記載された順序に従って時系列的に行われる処理はもちろん、必ずしも時系列的に処理されなくとも、並列的あるいは個別に実行される処理をも含むものである。
【０１１４】
また、本明細書において、システムとは、複数の装置により構成される装置全体を表わすものである。
【図面の簡単な説明】
【０１１５】
【図１】従来のムーブ中の制御装置側の画面の例を示す図である。
【図２】本発明を適用した録画・再生システムの構成例を示すブロック図である。
【図３】HDRが保持する「Moved Position Marker InfoBlock」を示す図である。
【図４】HDRが保持する「Original Size Indicator InfoBlock」を示す図である。
【図５】DTVの構成例を示すブロック図である。
【図６】DTVにより表示される操作パネルの例を示す図である。
【図７】DTVの機能構成例を示すブロック図である。
【図８】再生リストの例を示す図である。
【図９】オプションメニューの例を示す図である。
【図１０】ムーブモード画面の例を示す図である。
【図１１】ムーブ中メッセージの例を示す図である。
【図１２】ムーブ中に放送波のみが表示される例を示す図である。
【図１３】ムーブ処理を説明するフローチャートである。
【図１４】ムーブ中断アイコンの表示処理を説明するフローチャートである。
【符号の説明】
【０１１６】
１  録画・再生システム，  １１  DTV，  １２  IEEE1394バス，  １３  HDR，  １４DVHS，  ２１  CPU，  ３３  ディスプレイ，  ４２  リモートコントローラ，  ６１  ムーブ制御部，  ６２  リスト表示部，  ６３  コマンド管理部，  ７３  ムーブ中断アイコン
【図１】
2006060344.tif 000003
【図２】
2006060344.tif 000004
【図３】
2006060344.tif 000005
【図４】
2006060344.tif 000006
【図５】
2006060344.tif 000007
【図６】
2006060344.tif 000008
【図７】
2006060344.tif 000009
【図８】
2006060344.tif 000010
【図９】
2006060344.tif 000011
【図１０】
2006060344.tif 000012
【図１１】
2006060344.tif 000013
【図１２】
2006060344.tif 000014
【図１３】
2006060344.tif 000015
【図１４】
2006060344.tif 000016